(57)【要約】  【課題】オペレータの操作性又は作業効率を低下させることなく、キャブ内における居住快適性を向上させる。【解決手段】キャブ内にシート１１を設けて成る建設機械のキャブ内収納式テーブル装置であって、前記シート１１にテーブル１６を設置すると共に、テーブル１６を収納位置に退避可能に設ける。テーブル１６は複数の矩形状のプレート１７同士を折り畳み可能に連結して成り、シート１１のアームレスト１２下方にテーブル１６を退避させて収納できるように構成する。【選択図】図２
2010155536.tif 000002
【特許請求の範囲】
【請求項１】
キャブ内にシートが設置された建設機械のキャブ内収納式テーブル装置であって、前記シートの前部にテーブルが移動可能に設けられ、該テーブルは前記シートのアームレストの下方若しくは背もたれ部の後方に退避させて収納できるように構成したことを特徴とする建設機械のキャブ内収納式テーブル装置。
【請求項２】
上記テーブルは、矩形状に形成された複数のプレートの側縁部同士を折り畳み可能に連結して成り、上記シートのアームレストの下方には前記プレートを巻き取る手段が設けられ、該プレートを巻き取り方式にて上記シートのアームレストの下方に退避させて収納できるように構成したことを特徴とする請求項１記載の建設機械のキャブ内収納式テーブル装置。
【請求項３】
上記テーブルは、扇形に形成された複数のプレートの側縁部同士を折り畳み可能に連結して成り、上記シートのアームレストの下方には前記プレートを水平回動可能に支持する手段が設けられ、該プレートを水平回動方式にて上記シートのアームレストの下方に退避させて収納できるように構成したことを特徴とする請求項１記載の建設機械のキャブ内収納式テーブル装置。
【請求項４】
上記テーブルは、上記シートの背もたれ部の左右両側に設けた水平軸に前後回動可能に取り付けられ、前記テーブルを前後回動方式にて前記背もたれ部の後方に退避させて収納できるように構成したことを特徴とする請求項１記載の建設機械のキャブ内収納式テーブル装置。
【発明の詳細な説明】
【技術分野】
【０００１】
本発明は建設機械のキャブ内収納式テーブル装置に関するものであり、特に、キャブ内の居住快適性を向上させることができる建設機械のキャブ内収納式テーブル装置に関するものである。
【背景技術】
【０００２】
従来、油圧ショベル等の建設機械は、下部走行体に上部旋回体が旋回可能に搭載され、該上部旋回体にブーム等の作業アタッチメントが取り付けられている。又、上部旋回体にはキャブが搭載され、図９に示すように、キャブ１内の略中央部にシート（運転席）２が設けられている。更に、シート２の左右両側にアームレスト３，４が配設され、該アームレスト３，４の前部近傍に操作レバー５，６が設けられている。
【０００３】
キャブ１内にはその他に各種装置、例えば、モニタ装置７、走行レバー８、並びにエアコンやオーディオ装置（図示せず）等が搭載されている。このように、キャブ１内には多く各種装置が配設されているが、周囲の作業状況を確認し易くするために、キャブ１は可能な限りコンパクトに構成されている（特許文献１参照）。
【特許文献１】特開２００５−１８８１５６公報
【発明の開示】
【発明が解決しようとする課題】
【０００４】
上記建設機械は、宅地造成、解体家屋、道路、災害復旧、山林又は河川等の様々な作業現場にて使用されているが、作業現場によりオペレータは殆ど１日中キャブ内で過ごさなければならないことがある。そして、オペレータは休憩時にはキャブ内で昼食、読書、或いは、作業報告書の作成などをすることが多い。この場合、キャブ内にはテーブルが設けられていないために、昼食或いは読書等を為す際に不便になるという欠点があった。
【０００５】
前記欠点を除去するには、シートの前方にテーブルを付設することが考えられる。このように構成すると、テーブル上に弁当や本を載せることができるので、オペレータは昼食や読書をする際に便利になり、キャブ内の居住快適性が向上する。しかし、シートの前方にテーブルが存在すると、該テーブルが運転操作時に邪魔になり、オペレータの操作性又は作業効率が低下するという問題が生じる。
【０００６】
そこで、オペレータの操作性又は作業効率を低下させることなく、キャブ内における居住快適性を向上させるために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、キャブ内にシートが設置された建設機械のキャブ内収納式テーブル装置であって、前記シートの前部にテーブルが移動可能に設けられ、該テーブルは前記シートのアームレストの下方若しくは背もたれ部の後方に退避させて収納できるように構成した建設機械のキャブ内収納式テーブル装置を提供する。
【０００８】
この構成によれば、オペレータは、休憩時にテーブル上に弁当や本等を載せて昼食や読書をすることができる。又、運転操作時には、テーブルをシートのアームレストの下方若しくは背もたれ部の後方に退避させて収納する。
【０００９】
請求項２記載の発明は、上記テーブルは、矩形状に形成された複数のプレートの側縁部同士を折り畳み可能に連結して成り、上記シートのアームレストの下方には前記プレートを巻き取る手段が設けられ、該プレートを巻き取り方式にて上記シートのアームレストの下方に退避させて収納できるように構成した請求項１記載の建設機械のキャブ内収納式テーブル装置を提供する。
【００１０】
この構成によれば、矩形状のプレート同士を折り畳み可能に連結して成るテーブルは、不使用時に、該プレートを巻き取り方式にてアームレストの下方に退避させて収納する。
【００１１】
請求項３記載の発明は、上記テーブルは、扇形に形成された複数のプレートの側縁部同士を折り畳み可能に連結して成り、上記シートのアームレストの下方には前記プレートを水平回動可能に支持する手段が設けられ、該プレートを水平回動方式にて上記シートのアームレストの下方に退避させて収納できるように構成した請求項１記載の建設機械のキャブ内収納式テーブル装置を提供する。
【００１２】
この構成によれば、扇形のプレート同士を折り畳み可能に連結して成るテーブルは、不使用時に、該プレートを水平回動方式にてアームレストの下方に退避させて収納する。
【００１３】
請求項４記載の発明は、上記テーブルは、上記シートの背もたれ部の左右両側に設けた水平軸に前後回動可能に取り付けられ、前記テーブルを前後回動方式にて前記背もたれ部の後方に退避させて収納できるように構成した請求項１記載の建設機械のキャブ内収納式テーブル装置を提供する。
【００１４】
この構成によれば、テーブルは、不使用時にシートの背もたれ部の後方に退避させて収納する。
【発明の効果】
【００１５】
請求項１記載の発明は、休憩時に、テーブル上に弁当等の物品を載せて食事等を行えるので、キャブ内の居住快適性を向上させることができる。又、運転操作時には、テーブルを収納位置に移動させることによりテーブルが邪魔にならないので、オペレータの操作性又は作業効率を低下させる恐れがない。
【００１６】
請求項２記載の発明は、テーブルはアームレスト下方の空きスペースにコンパクトに収納できるので、請求項１記載の発明の効果に加えて、収納スペースを特別に確保する必要がなく、巻き取り方式でテーブルを簡単に収納することができる。
【００１７】
請求項３記載の発明は、テーブルはアームレスト下方の空きスペースにコンパクトに収納できるので、請求項１記載の発明の効果に加えて、収納スペースを特別に確保する必要がなく、水平回動方式でテーブルを簡単に収納することができる。
【００１８】
請求項４記載の発明は、テーブルはシートの背もたれ部後方の空きスペースにコンパクトに収納できるので、請求項１記載の発明の効果に加えて、収納スペースを特別に確保する必要がなく、前後回動方式にてテーブルをワンタッチで収納することができる。
【発明を実施するための最良の形態】
【００１９】
本発明は、オペレータの操作性又は作業効率を低下させることなく、キャブ内における居住快適性を向上させるという目的を達成するため、キャブ内にシートが設置された建設機械のキャブ内収納式テーブル装置であって、前記シートの前部にテーブルが移動可能に設けられ、該テーブルは前記シートのアームレストの下方若しくは背もたれ部の後方に退避させて収納できるように構成したことにより実現した。
【実施例】
【００２０】
以下、本発明の好適な第１実施例を図１及び図２に基づいて説明する。図１は本実施例に係る収納式テーブル装置を備えたシートを示す平面図である。尚、本実施例のシートは、油圧ショベル等の建設機械に搭載されたキャブ内に配設されているが、該キャブ内の構造は、図９の従来例と略同様である。即ち、キャブ内にはモニタ装置、走行レバー、エアコン及びオーディオ装置などの各種装置が搭載されている。
【００２１】
図１に示すように、シート１１の左右両側にはアームレスト１２，１３が配設されていると共に、該アームレスト１２，１３の前部近傍には操作レバー１４，１５が設けられている。又、シート１１の前部には収納式のテーブル１６が設置され、該テーブル１６は収納位置、即ち、図２に示すように、アームレスト１２下方の空きスペースに移動可能に設けられている。
【００２２】
本実施例では、テーブル１６は、縦長の矩形状に形成された複数のプレート１７，１７…から成り、隣接するプレート１７，１７…の側縁部同士は互いに折り畳み可能に連結されている。又、プレート１７，１７…は、アームレスト１２の下方にて巻き取り方式にて収納できるように構成されている。
【００２３】
即ち、図２に示すように、アームレスト１２の下側には、前記プレート１７，１７…を巻き取るための巻き取り軸１８が設置されている。該巻き取り軸１８は、アームレスト１２下面に固設したブラケット１９により回動可能に支持され、且つ、該アームレスト１２下面に対して略平行となるように水平に配置されている。又、ブラケット１９の内側面（図２の右側面）にはガイド板２０が水平に固定され、該ガイド板２０は、テーブル１６の引出し端側のプレート１７，１７…を左右方向ＬＲにスライド可能に支持している。
【００２４】
更に、隣接する各プレート１７，１７…間の下面側には、該プレート１７，１７…の側縁部同士を互いに連結固定すべく、回動式のロック部材２１，２１…が連結固定位置又は連結解除位置に操作可能に取り付けられている。そして、該ロック部材２１，２１…を連結固定位置から連結解除位置に回動操作することで、前記プレート１７，１７…同士の連結固定を解除できるように構成されている。
【００２５】
次に、本実施例に係る収納式テーブル装置の使用方法について説明する。先ず、テーブル１６を使用する際は、テーブル１６の引出し端側のプレート１７，１７…を引き出すことにより、該プレート１７，１７…がガイド板２０上を円滑にスライドして、アームレスト１２の内側（図２の右側）に水平移動する。
【００２６】
そして、回動式のロック部材２１，２１…を連結解除位置から連結固定位置に回動操作することにより、隣接するプレート１７，１７…同士が互いに連結固定される。これにより、アームレスト１２の内側にテーブル１６が使用可能な水平状態に保持固定される。この場合、テーブル１６の引出し端部を他方のアームレスト１３下面に係止固定させることにより、テーブル１６の支持強度を増大させることができる。
【００２７】
このあと、使用状態のテーブル１６を収納する際は、前記と逆の手順で操作すればよい。即ち、ロック部材２１，２１…を連結固定位置から連結解除位置に回動操作することにより、上記プレート１７，１７…同士の連結固定を解除する。そして、アームレスト１２下側の巻き取り軸１８を反時計回り方向に回動させることにより、アームレスト１２内側に引き出されていたプレート１７，１７…が巻き取り軸１８の外周に巻き取られる。これにより、前記プレート１７，１７…がアームレスト１２の下方に退避して巻取状態で収納される。      
【００２８】
尚、ガイド板２０上面に、ロック部材２１，２１…の回動位置を自動的に変更するための回動位置変更部材１を設けることも可能である。即ち、プレート１７，１７…が引き出し動作するときは、ロック部材２１，２１…が回動位置変更部材の一部に接触して連結固定位置に自動的にセットされ、又、プレート１７，１７…が巻き取り動作するときは、ロック部材２１，２１…が回動位置変更部材の他部に接触して連結解除位置に自動的にセットされるように構成することもできる。
【００２９】
以上の如く本発明によると、シート１１前部に付設したテーブル１６をアームレスト１２の内側に引き出して使用可能な水平状態に固定することにより、テーブル１６上に弁当、飲み物、書籍、作業報告書等の物品を載置することができる。
【００３０】
斯くして、休憩時に、オペレータはシート１１に着座した状態で食事、読書又は書類の作成などを行えるので、キャブ内における居住快適性が著しく向上する。又、運転操作時には、テーブル１６をアームレスト１２の下方に収納することにより、テーブル１６が運転操作の邪魔にならないので、オペレータの操作性又は作業効率を低下させる恐れがない。
【００３１】
特に、本実施例によれば、矩形状のプレート１７，１７…から成るテーブル１６は、不使用時に、該プレート１７，１７…を巻き取り方式にてアームレスト１２下方の空きスペースに退避させることにより、プレート１７，１７…をコンパクトに巻き取った状態で収納できる。従って、収納スペースを特別に確保する必要がなく、テーブル１６を簡単に収納することができる。
【００３２】
次に、本発明の第２実施例を図３乃至図５に従って説明する。図３は本実施例に係るシート２５を示す平面図である。同図に示すように、シート２５の前部には、四半円形の小型のテーブル２６が設置されている。該テーブル２６は、互いに同一サイズの扇形に形成された複数（例えば４枚）のプレート２７a,２７b,２７c,２７dから成り、該プレート２７a,２７b,２７c,２７dを水平回動方式にてアームレスト２２の下方に退避させて収納できるように構成されている。
【００３３】
図４に示すように、アームレスト２２の下面にはテーブル回動用の鉛直軸２８が固設され、該鉛直軸２８には扇形のプレート２７a,２７b,２７c,２７dの基端部が水平回動可能に取り付けられている（図５参照）。又、アームレスト２２の下面にはテーブル支持用の水平板（図示せず）が固設され、該水平板によりプレート２７a,２７b,２７c,２７d下面を略水平な使用状態（展開状態）に支持できるように構成されている。
【００３４】
前記テーブル２６の収納時には、図４に示すように、扇形のプレート２７a,２７b,２７c,２７dは互いに重合して収納される。依って、テーブル２６は、平面視では扇形（円周角約２２．５度）を呈してコンパクトに収納される。
【００３５】
テーブル２６を使用する際は、前記プレート２７a,２７b,２７c,２７dを回動変位させることにより、アームレスト２２の内側（図５の右側）に水平に展開させる。即ち、４枚のプレート２７a,２７b,２７c,２７dを鉛直軸２８の回りに反時計方向にそれぞれ所定角度だけ回動操作することにより、該プレート２７a,２７b,２７c,２７dは、上記水平板上を円滑に水平回動して展開し、図５に示すように、全体として平面視にて四半円形のテーブル２６が形成される。
【００３６】
これにより、アームレスト２２の内側に四半円形のテーブル２６が使用可能な水平状態に保持固定される。尚、図示例ではテーブル２６は一方のアームレスト２２のみに付設しているが、他方のアームレスト２３にも付設することができる。
【００３７】
本実施例によれば、扇形のプレート２７a,２７b,２７c,２７dから成るテーブル２６は、不使用時に、該プレート２７a,２７b,２７c,２７dを水平回動方式にてアームレスト２２下方に退避させることにより、アームレスト２２下方の空きスペースにコンパクトに収納できるので、収納スペースを特別に確保する必要がなく、水平回動方式で簡単に収納することができる。
【００３８】
次に、本発明の第３実施例を図６乃至図８に従って説明する。図６は本実施例に係るシート３１を示す側面図である。同図に示すように、シート３１には大型のテーブル３６が付設され、該テーブル３６は、シート３１の背もたれ部３０の後面上部に設けた水平軸３４に前後回動可能に取り付けられ、且つ、前後回動方式にて背もたれ部３０の後方に退避させて収納できるように構成されている。
【００３９】
図７及び図８に示すように、テーブル３６は、矩形状の本体部３５と、該本体部３５の左右両側部を支持する略コ字状の支持アーム３３とから成る。そして、支持アーム３３の左右両端部は、背もたれ部３０の後面上部に設けた水平軸３４まわりに前後方向ＦＢに回動操作できるように取り付けられている。又、矩形状の本体部３５と支持アーム３３との間には枢着軸３７が介設けられ、該枢着軸３７を介して本体部３５は、支持アーム３３に対して前後方向ＦＢに折り畳み可能に連結されている。
【００４０】
本実施例に係るテーブル３６を使用する際は、該テーブル３６を水平軸３４の回りに前方向Ｆ（図７における反時計回り方向）に回動操作することにより、テーブル３６の本体部３５がアームレスト３８，３９上面に当接する位置まで移動して、該アームレスト３８，３９上にテーブル３６が載置して停止する。
【００４１】
このあと、使用状態のテーブル３６を収納する際は、テーブル３６を水平軸３４の回りに後方向Ｂ（図７における時計回り方向）に回動操作することにより、シート３１の背もたれ部３０の後面と対面する略垂下状態になる収納位置まで移動する（図６参照）。
【００４２】
本実施例によれば、不使用時には、テーブル３６は、前後回動方式にてシート３１の背もたれ部３０後方に退避させることにより、背もたれ部３０後方の空きスペースにコンパクトに収納できる。
【００４３】
従って、上記実施例と同様の効果を奏し得る。即ち、収納スペースを特別に確保する必要がなく、テーブル３６をワンタッチで回動操作して収納することができる。又、テーブル３６は使用状態ではアームレスト３８，３９上に載置して固定されるので、テーブル３６の支持強度が増大する。斯くして、テーブル３６の載置面積を広くできるのみならず、強度の高い大型のテーブル３６を容易に作製することができる。
【００４４】
なお、本発明は、本発明の精神を逸脱しない限り種々の改変を為すことができ、そして、本発明が該改変されたものに及ぶことは当然である。
【図面の簡単な説明】
【００４５】
【図１】本発明の第１実施例を示し、建設機械のキャブ内に設置した収納式テーブル装置付きのシートの平面図。
【図２】図１の収納式テーブル装置の要部を示すＡ矢視詳細図。
【図３】本発明の第２実施例を示し、建設機械のキャブ内に設置した収納式テーブル装置付きのシートの平面図。
【図４】図３の収納式テーブル装置の収納状態を説明する要部拡大平面図。
【図５】図３の収納式テーブル装置の使用状態を説明する要部拡大平面図。
【図６】本発明の第３実施例を示し、建設機械のキャブ内に設置した収納式テーブル装置付きのシートの側面図。
【図７】図６の収納式テーブル装置の収納状態を説明する側面図。
【図８】図６の収納式テーブル装置の回動操作の途中の状態を説明する正面図。
【図９】従来例を示し、建設機械に搭載したキャブ内部を示す斜視図。
【符号の説明】
【００４６】
１１  シート
１２，１３  アームレスト
１６  （巻き取り式）テーブル
１７  （矩形状）プレート
１８  巻き取り軸
１９  ブラケット
２０  ガイド板
２１  ロック部材
２５  シート
２６  （水平回動式）テーブル
２７a〜２７d  （扇形）プレート
２８  鉛直軸
３０  背もたれ部
３３  支持アーム
３４  水平軸
３５  本体部
３６  （前後回動式）テーブル
【図１】
2010155536.tif 000003
【図２】
2010155536.tif 000004
【図３】
2010155536.tif 000005
【図４】
2010155536.tif 000006
【図５】
2010155536.tif 000007
【図６】
2010155536.tif 000008
【図７】
2010155536.tif 000009
【図８】
2010155536.tif 000010
【図９】
2010155536.tif 000011